(57)【要約】【課題】通報データの受信を優先しながら、通報データと画像情報とを対応付けて表示して、発生した異常状態の監視をすることができるようにする。【解決手段】通報送信装置１１は、異常の発生を監視し、発生した異常に関連した画像情報についての情報を含む通報データを、通報受信装置２１に送ると共に、画像情報送信装置１２に、発生した異常に関連した画像情報の送信を指示する。画像情報送信装置１２は、この送信の指示に応じて、監視カメラの撮像情報を、画像情報サーバ装置２５に送る。通報受信装置２１は、通報データを受信し、関連した画像情報があることを検知したときには、その旨を使用者に報知する。通報受信装置２１は、使用者からの画像情報の取得の要求指示入力を受けたときに、画像情報サーバ装置２５に、発生した異常に関連した画像情報の取得要求を送り、取得した画像情報を、通報データに関連させて表示する。【選択図】図１
2005086400.tif 000002
【特許請求の範囲】
【請求項１】
通信網を介して接続される監視通報システム部と通報受信管制システム部とからなり、前記監視通報システム部は、通報送信装置と画像情報送信装置とを備え、前記通報受信管制システム部は、通報受信装置と画像情報サーバ装置とを備える監視システムであって、
前記監視通報システム部の前記通報送信装置は、
異常の発生を監視し、異常の発生時に、前記発生した異常に関連した画像情報についての情報を含む通報データを、前記通報受信装置に送ると共に、前記画像情報送信装置に、前記発生した異常に関連した画像情報の送信を指示し、
前記監視通報システム部の前記画像情報送信装置は、
前記通報送信装置からの前記画像情報の送信の指示に応じて、前記異常の発生時の前および／または後の監視カメラの撮像情報を、前記画像情報サーバ装置に送り、
前記通報受信管制システム部の前記通報受信装置は、
前記通報送信装置からの前記通報データを受信し、前記発生した異常に関連した画像情報についての情報から、前記関連した画像情報があることを検知したときに、前記発生した異常に関連した画像情報があることを前記通報受信装置の使用者に報知すると共に、前記使用者からの前記画像情報の取得要求の指示入力を受けたときに、前記画像情報サーバ装置に、前記発生した異常に関連した画像情報の取得要求を送り、この取得要求に対して前記画像情報サーバ装置から送られてくる前記画像情報を、前記通報データに関連させて表示し、
前記画像情報サーバ装置は、
前記画像情報送信装置からの前記発生した異常に関連した画像情報を受信して保持すると共に、前記通報受信装置からの前記画像情報の取得要求に応じて、前記保持した前記発生した異常に関連した画像情報を前記通報受信装置に送る
ことを特徴とする監視システム。
【請求項２】
請求項１に記載の監視システムにおいて、
前記通報データと前記画像情報とは、異なる通信網を通じて、前記監視通報システム部から前記通報受信管制システム部に送信される
ことを特徴とする監視システム。
【請求項３】
請求項１に記載の監視システムにおいて、
前記通報データと前記画像情報とは、同じ通信網を通じて、前記監視通報システム部から前記通報受信管制システム部に送信されると共に、少なくとも前記通報データは、前記画像情報に先立って送信される
ことを特徴とする監視システム。
【請求項４】
請求項３に記載の監視システムにおいて、
前記通信網は、ＩＰ（Ｉｎｔｅｒｎｅｔ  Ｐｒｏｔｏｃｏｌ）網である
ことを特徴とする監視システム。
【請求項５】
通信網を介して接続される監視通報システム部と通報受信管制システム部とからなり、前記監視通報システム部は、通報送信装置と画像情報送信装置とを備え、前記通報受信管制システム部は、通報受信装置と画像情報サーバ装置とを備える監視システムにおける通報方法であって、
前記監視通報システム部の前記通報送信装置は、
異常の発生を監視し、異常の発生を検知したときに、前記発生した異常に関連した画像情報についての情報を含む通報データを、前記通報受信装置に送ると共に、前記画像情報送信装置に、前記発生した異常に関連した画像情報の送信を指示する工程を備え、
前記監視通報システム部の前記画像情報送信装置は、
前記通報送信装置からの前記画像情報の送信の指示に応じて、前記異常の発生時の前および／または後の監視カメラの撮像情報を、前記画像情報サーバ装置に送る工程を備え、
前記通報受信管制システム部の前記通報受信装置は、
前記通報送信装置からの前記通報データを受信する工程と、
前記受信した通報データ中の前記発生した異常に関連した画像情報についての情報から、前記関連した画像情報があることを検知したときに、前記発生した異常に関連した画像情報があることを前記通報受信装置の使用者に報知する報知工程と、
前記報知工程の後、前記使用者からの前記画像情報の取得の要求指示入力を受け付けたときに、前記画像情報サーバ装置に、前記発生した異常に関連した画像情報の取得要求を送る工程と、
前記取得要求に対して前記画像情報サーバ装置から送られてくる前記画像情報を、前記通報データに関連させて表示する工程と、
を備え、
前記画像情報サーバ装置は、
前記画像情報送信装置からの前記発生した異常に関連した画像情報を受信して保持する工程と、
前記通報受信装置からの前記画像情報の取得要求に応じて、前記保持した前記発生した異常に関連した画像情報を前記通報受信装置に送る工程と、
を備えることを特徴とする監視システムにおける通報方法。
【請求項６】
通信網を介して監視通報システムと接続され、前記監視通報システムから、通報データおよび画像情報を受信する通報受信管制システムであって、
通報受信装置と画像情報サーバ装置とを備え、
前記通報受信装置は、
前記監視通報システムからの前記通報データを受信し、受信した前記通報データに含まれる、発生した異常に関連した画像情報についての情報から、前記関連した画像情報があることを検知したときに、前記発生した異常に関連した画像情報があることを前記通報受信装置の使用者に報知する手段と、
前記使用者からの前記画像情報の取得要求の指示入力を受けたときに、前記画像情報サーバ装置に、前記発生した異常に関連した画像情報の取得要求を送る手段と、
前記取得要求に対して前記画像情報サーバ装置から送られてくる前記画像情報を、前記通報データに関連させて表示する手段と、
を備え、
前記画像情報サーバ装置は、
前記画像情報送信装置からの前記発生した異常に関連した画像情報を受信して保持すると共に、前記通報受信装置からの前記画像情報の取得要求に応じて、前記保持した前記発生した異常に関連した画像情報を前記通報受信装置に送る手段を備える
ことを特徴とする通報受信管制システム。
【発明の詳細な説明】
【技術分野】
【０００１】
この発明は、非常事態の発生時に、電話回線等の通信網を通じて所定の通報先に通報データと、監視カメラで撮影した画像情報を送るようにする監視システム、この監視システムにおける通報方法および前記通報データと前記画像情報を受信する通報受信管制システムに関する。
【背景技術】
【０００２】
社会的動向として、核家族化が進み、また、一人暮らし世帯が急増していることと、経済的環境の厳しさ等による社会環境の安全性の低下により、個人の住宅に対する警備・保安のニーズが強くなってきている。
【０００３】
そこで、例えば、賊の侵入、火災発生等の非常事態が発生した場合に、非常用押ボタンスイッチやセンサなどの非常通報の起動の契機となる起動契機信号を発生する起動イベント発生手段により起動されて、警備会社の警備センタに通報がなされ、この通報を受けた警備会社の社員が、現場に駆けつけて、適切な処置を行なうようにするセキュリティーシステムによるサービスが注目されている。
【０００４】
しかしながら、ホームセキュリティーシステムにおける非常通報には、比較的誤通報が多く、このため、警備会社は、無駄な出動を余儀なくされたり、ユーザは、無駄な出動に対する対価の支払いにより、余計な経済的な出費を余儀なくされたりしてしまうという問題があった。
【０００５】
そこで、出願人は、この問題を解決するため、特許文献１（特開２００３−１７９６９７号公報）に記載されるような監視通報システムを提案した。
【０００６】
この特許文献1に記載の監視通報システムにおいては、例えば賊の侵入などがセンサにより検知されて起動契機信号が発生したときには、第１の通報先として割り付けられたユーザの携帯型無線通信端末の電話番号を読み出して、その電話番号に発呼を行い、ユーザが携帯型無線通信端末で応答したときには、１または複数個の撮像装置で撮影した映像情報を、当該携帯型無線通信端末に送る。すると、携帯型無線通信端末では、受信した映像情報による画像が表示部に表示される。
【０００７】
したがって、ユーザは、この表示部の画像を見て、非常状態の発生の確認をすることができる。そして、非常状態であると確認したときには、ユーザは、予め定められている警備会社の警備センタや警察署の受信台などの非常通報の受信機関への通報の起動要求のための操作をする。
【０００８】
この非常通報の受信機関への通報の起動要求を受けた監視通報システムは、メモリから非常通報の受信機関の電話番号を読み出し、異常が発生した場所や発生した異常内容の情報を含む通報データを前記受信機関に送って、当該非常通報の受信機関に非常通報をする。
【０００９】
したがって、ユーザは、携帯型無線通信端末の画面で、非常状態の発生であるかどうかを確認してから、非常通報の受信機関に通報するなどの適切な処置をとることができる。このため、誤通報を少なくして、警備員の無駄な出動や、ユーザの無駄な出費を抑えることができる。
【特許文献１】特開２００３−１７９６９７号公報
【発明の開示】
【発明が解決しようとする課題】
【００１０】
ところが、前記特許文献１に記載の発明の場合、非常通報の起動契機信号が発生したときに、一旦、ユーザの携帯型通信端末に通報要因と画像情報が送られてから、通報データの受信側である警備センタに通報されるようにされる。このため、通報が遅れるという問題がある。
【００１１】
また、警備センタにおいても、監視通報システム側の監視カメラの画像を見ることができれば、便利であるが、前記特許文献１に記載の発明の場合には、監視カメラの画像は警備センタには送られない。
【００１２】
そこで、通報データと共に、監視カメラの画像情報も警備センタに送ることが考えられるが、その場合には、警備センタでは、画像情報の到着を待たないと、通報を受信したことにならず、その分、遅延が生じることになる。
【００１３】
また、通報のための時間が長くなることが想定されるが、警備センタに対しては、複数個の監視通報システムが電話回線を通じて接続されるので、通報タイミングが重なったときに、通報が警備センタに到達しなくなるおそれがある。通報データは、できるだけ迅速に受信することが肝要であり、このため、画像情報と通報データとを一つの回線で伝送する場合には、回線数を増加したりする必要があった。
【００１４】
そこで、通報データと監視カメラの画像情報とを警備センタの別々の端末装置に、別々に送るようにすることが考えられた。
【００１５】
しかしながら、別々の端末装置で、通報データと監視カメラの撮像画像情報とを受信したときには、警備センタでは、複数の通報装置からの通報を受けるのが通常であるので、どの通報に対してどの画像が対応しているかは、容易に判別することができないという問題がある。
【００１６】
この発明は、以上の点にかんがみ、警備センタなどの通報受信管制システム部側において、通報データの受信を優先しながら、通報データと画像情報とを対応付けて表示して、発生した異常状態の監視をすることができるようにすることを目的とする。
【課題を解決するための手段】
【００１７】
上記の課題を解決するために、請求項１の発明による監視システムは、
通信網を介して接続される監視通報システム部と通報受信管制システム部とからなり、前記監視通報システム部は、通報送信装置と画像情報送信装置とを備え、前記通報受信管制システム部は、通報受信装置と画像情報サーバ装置とを備える監視通報システムであって、
前記監視通報システム部の前記通報送信装置は、
異常の発生を監視し、異常の発生時に、前記発生した異常に関連した画像情報についての情報を含む通報データを、前記通報受信装置に送ると共に、前記画像情報送信装置に、前記発生した異常に関連した画像情報の送信を指示し、
前記監視通報システム部の前記画像情報送信装置は、
前記通報送信装置からの前記画像情報の送信の指示に応じて、前記異常の発生時の前および／または後の監視カメラの撮像情報を、前記画像情報サーバ装置に送り、
前記通報受信管制システム部の前記通報受信装置は、
前記通報送信装置からの前記通報データを受信し、前記発生した異常に関連した画像情報についての情報から、前記関連した画像情報があることを検知したときには、前記発生した異常に関連した画像情報があることを前記通報受信装置の使用者に報知すると共に、前記使用者からの前記画像情報の取得の要求指示入力を受けたときに、前記画像情報サーバ装置に、前記発生した異常に関連した画像情報の取得要求を送り、この取得要求に対して前記画像情報サーバ装置から送られてくる前記画像情報を、前記通報データに関連させて表示し、
前記画像情報サーバ装置は、
前記画像情報送信装置からの前記発生した異常に関連した画像情報を受信して保持すると共に、前記通報受信装置からの前記画像情報の取得要求に応じて、前記保持した前記発生した異常に関連した画像情報を前記通報受信装置に送る
ことを特徴とする。
【００１８】
上述の構成の請求項１の発明によれば、監視通報システム部からの通報データは、通報受信管制システム部の通報受信装置に送られて、当該通報受信装置を通じて、例えば監視センター管制員に迅速に通報内容が通知される。
【００１９】
そして、発生した異常に関連した画像情報があるときには、監視通報システム部は、通報データに、発生した異常に関連した画像情報についての情報として、関連する画像情報があることを示す情報を含める。通報受信装置は、この関連する画像情報があることを示す情報に基づいて、前記管制員に、発生した異常に関連する画像情報があることを報知するようにする。
【００２０】
一方、画像情報は、監視通報システム部から通報受信管制システム部の画像情報サーバ装置に別途送られている。通報受信装置で、発生した異常に関連する画像情報があることの報知を受けた管制員は、必要に応じて通報受信装置に対して画像の取得要求入力をする。すると、通報受信装置は、画像情報サーバ装置に、発生した異常に関連する画像情報の取得要求を送り、当該画像情報サーバ装置から対応する画像情報を受信して、表示画面に、前記通報データに関連させて表示する。
【００２１】
管制員は、この画像情報により、通報データにより通報された発生異常が、緊急性のあるものかどうかを容易に判断することができる。
【発明の効果】
【００２２】
この発明によれば、通報受信管制システム部側において、通報データの受信を優先しながら、通報データと画像情報とを対応付けて表示して、発生した異常状態の監視をすることができる。
【発明を実施するための最良の形態】
【００２３】
以下、この発明による監視システムの実施形態を、図を参照しながら説明する。
【００２４】
以下に説明する実施形態は、通信網として、ＩＳＤＮ（Ｉｎｔｅｇｒａｔｅｄ  Ｓｅｒｖｉｃｅ  Ｄｉｇｉｔａｌ  Ｎｅｔｗｏｒｋ；総合デジタル通信網）網と、インターネットなどのＩＰ（Ｉｎｔｅｒｎｅｔ  Ｐｒｏｔｏｃｏｌ）網とを用いて、監視カメラの画像情報を伴う非常通報を行なえるようにする場合である。
【００２５】
［監視システムの構成］
図１は、実施形態の監視システムの接続構成例を示すものである。この実施形態の監視システムは、監視通報システム部１と、通報受信管制システム部２とが、ＩＳＤＮ網３およびＩＰ網４を介して接続されて構成されている。
【００２６】
監視通報システム部１は、センサで異常を検出したときに通報データを通報受信管制システム部２宛てに送出する通報送信装置１１と、センサに対応して設置された監視カメラからの画像情報を通報受信管制システム部２に送る画像情報送信装置を構成する画像送信アダプタ１２とを備えて構成される。
【００２７】
通報送信装置１１は、この例においては、ＩＳＤＮ網３に接続されているＩＳＤＮ回線に接続されると共に、ルータ１３を通じてＩＰ網４に接続されている。また、通報送信装置１１には、複数個のセンサ１４ａ〜１４ｎが接続される。さらに、通報送信装置１１は、画像送信アダプタ１２と接続されている。
【００２８】
画像送信アダプタ１２には、複数台の監視カメラ１５ａ〜１５ｍが接続されている。また、画像送信アダプタ１２は、ルータ１３を通じてＩＰ網４に接続されている。
【００２９】
監視カメラ１５ａ〜１５ｍは、センサ１４ａ〜１４ｎで異常が検出されたとき、その異常の状況を的確に把握できるような場所に設置されており、センサ１４ａ〜１４ｎのそれぞれと、監視カメラ１５ａ〜１５ｍのそれぞれとの対応関係の情報が、通報送信装置１１に記憶されている。なお、センサおよび監視カメラは１個ずつであっても勿論よい。
【００３０】
通報受信管制システム部２は、監視通報システム部１からの通報の宛先として予め定められている通報情報の受信システムであり、この例においては、通報受信機２１および２２と、通報データサーバ装置２３と、管制端末装置２４と、画像情報サーバ装置２５とを備えて構成されており、各装置２１〜２５は、ＬＡＮ（Ｌｏｃａｌ  Ａｒｅａ  Ｎｅｔｗｏｒｋ）２０に接続されている。通報受信機２１，２２、通報データサーバ装置２３および管制端末装置２４は、この例では、パーソナルコンピュータで構成されている。
【００３１】
画像情報サーバ装置２５は、ルータ２６を通じてＩＰ網４に接続されていると共に、ルータ２６は、ＬＡＮ２０に接続されている。
【００３２】
この例においては、２台の通報受信機２１，２２が設けられているが、これは、一方が故障したときに他方が代替として動作するようにするためである。
【００３３】
監視通報システム部１の通報送信装置１１からの通報データは、ＩＳＤＮ網３を通じて通報受信機２１，２２の一方に受信される。通報受信機２１または２２は、受信した通報データをＬＡＮ２０を通じて通報データサーバ装置２３に転送する。通報データサーバ装置２３は、通報受信機２１または２２からの通報データを受信すると、当該通報データを管制端末装置２４に送る。
【００３４】
管制端末装置２４は、管制員が使用するもので、受け取った通報データをデコードして、例えばどのような異常の発生に基づく通報であるか、通報の発信元は何処であるかなどの表示データや音声データを生成し、表示装置に表示したり、スピーカにより音声として再生したりする。
【００３５】
監視通報システム部１の画像送信アダプタ１２からの監視カメラで撮影されて得られた画像データは、ＩＰ網４を通じ、ルータ２６を通じて画像情報サーバ装置２５で受信され、この画像情報サーバ装置２５に格納される。
【００３６】
画像情報サーバ装置２５は、格納した画像情報は、管制端末装置２４からの画像情報取得要求に応じて、管制端末装置２４にＬＡＮ２０を通じて送る。
【００３７】
なお、図１では、監視通報システム部１は、１台のみが示されているが、異なる場所に複数台の監視通報システム部１が設置され、ＩＳＤＮ網３およびＩＰ網４を通じて通報受信管制システム部２に接続されるものである。また、通報受信管制システム部２の回線は、１本のＩＳＤＮ回線ではなく、複数本のＩＳＤＮ回線とすることにより、多数の監視通報システム部１からの通報の着信を受けることが可能とすることができる。
【００３８】
なお、監視カメラ１５ａ〜１５ｍのそれぞれに、マイクロホンを取り付け、撮影場所の臨場音を収音して、その臨場音の音声情報も、画像情報と共に伝送することができるようにすることもできる。
【００３９】
次に、図１の監視システムの主要な装置のより詳細な構成例について説明する。
【００４０】
［通報送信装置１１および画像送信アダプタ１２の構成例］
図２は、監視通報システム部１の通報送信装置１１と、画像送信アダプタ１２との、より詳細なハードウエア構成例を示すブロック図である。
【００４１】
通報送信装置１１は、制御部１１０に対して、Ｉ／Ｏポート１１１と、ＩＳＤＮ回線インターフェース１１２と、ＬＡＮインターフェース１１３と、メモリ１１４と、複数個の通信インターフェース１１５とが接続されて構成されている。
【００４２】
制御部１１０は、通報送信装置１１の前記各部を制御するためのマイクロコンピュータを搭載して構成され、非常通報時のシーケンスを制御するためのプログラムや、通報データを生成するためのプログラムなどを実行する機能を備えている。
【００４３】
Ｉ／Ｏポート１１１には、複数個のセンサ１４ａ〜１４ｎが接続されている。制御部１１０は、このＩ／Ｏポート１１１を通じて入力されるセンサ１４ａ〜１４ｎからのセンサ信号を監視する。そして、センサ１４ａ〜１４ｎのいずれかで、異常が検出されたとき、通報動作を起動する。
【００４４】
ＬＡＮインターフェース１１３は、ルータ１３に接続するためのもので、例えばイーサネット（登録商標）用のインターフェースとされている。
【００４５】
メモリ１１４には、当該監視通報システム部１が設置されている場所や連絡先の情報や、異常発生を検知したセンサに応じた通報内容の情報を含む通報データが格納されている。
【００４６】
メモリ１１４には、また、通報データを、ＩＳＤＮ網３を通じて、通報受信管制システム部２の通報受信機２１、２２へ着信させるための電話番号が記憶されている。また、センサ１４ａ〜１４ｎのそれぞれと、監視カメラ１５ａ〜１５ｍのそれぞれとの対応関係の情報が、このメモリ１１４に記憶されている。
【００４７】
このメモリ１１４への非常通報先の電話番号の書き込みや、センサ１４ａ〜１４ｎと監視カメラ１５ａ〜１５ｍとの対応関係の情報は、この監視通報システム部１の設置時に、使用者あるいは設置者により行なわれる。
【００４８】
監視通報システム部１においては、この例では、通報送信装置１１と、画像送信アダプタや図示を省略したその他の装置とは、共通のバスラインに対して、いわゆるマルチドロップ型に接続されて構成されている。各装置１１〜１６間で用いられる通信インターフェース規格は、この例の場合、ＲＳ−４８５とされている。
【００４９】
通信インターフェース１１５は、前記共通バスラインに対して接続するためのＲＳ−４８５インターフェースである。通報送信装置１１は、共通バスライン１６を通じて画像送信アダプタ１２や、図示を省略したセンサ入力装置などと接続される。ここで、センサ入力装置は、センサを増設するためのもので、これに接続される１個または複数個のセンサの出力を監視して、異常が発生しているかどうかを判別し、異常が発生したと判別したときには、その異常発生の通知を、自装置の識別情報および異常を検知したセンサの識別情報と共に、通信路１７を通じて通報送信装置１１に送る。
【００５０】
この例では、監視通報システム部１においては、共通バスライン１６に対して接続することにより、センサ入力装置および画像送信アダプタ１２は複数個設けることができるようにされている。
【００５１】
後述するように、制御部１１０は、異常発生を検知したセンサに対応する監視カメラがあるときには、通報データに、監視カメラからの画像情報が通報受信管制システム部２側に伝送されること、また、その画像情報を識別するための情報を含めて、通報受信管制システム部２側に送る。画像情報を識別するための情報としては、例えば、通報送信装置の識別情報、画像情報を送信する画像送信アダプタ１２の識別情報および通報要因の発生時刻（センサが異常を検出した時刻）の情報が用いられる。
【００５２】
制御部１１０は、また、メモリ１１４に記憶されて情報に基づいて、異常発生を検知したセンサに対応する監視カメラがあるときには、当該監視カメラを識別するための情報を含む画像取り込み要求信号を画像送信アダプタ１２に送り、画像送信アダプタ１２に、異常発生位置の撮影画像など、異常発生に関連する画像情報を、通報受信管制システム部２側に送信するように指示する。
【００５３】
次に、画像送信アダプタ１２について説明する。この実施形態においては、送信する画像情報は静止画情報とされており、かつ、その静止画情報をデータ圧縮したものを伝送するようにしている。
【００５４】
画像送信アダプタ１２は、制御部１２０に対して、ＮＴＳＣインターフェース１２１と、カメラ信号処理部１２２と、画像メモリ１２３と、ＬＡＮインターフェース１２４と、通信インターフェース１２５と、メモリ１２６とが接続されて構成されている。
【００５５】
ＮＴＳＣインターフェース１２１は、監視カメラ１５ａ〜１５ｍからのカメラ信号のうちのいずれか一つのカメラ信号を、制御部１２０からの切り換え制御信号に応じて選択して取り込む。
【００５６】
そして、カメラ信号処理部１２２は、ＮＴＳＣインターフェース１２１を通じて取り込んだ一つのカメラ信号の画像信号から静止画を取り込み、取り込んだ静止画の画像信号をＡ／Ｄ変換して、デジタル画像データに変換し、そのデジタル画像データを、所定の圧縮方式、この例では、ＪＰＥＧ（Ｊｏｉｎｔ  Ｐｈｏｔｏｇｒａｐｈｉｃ  Ｅｘｐｅｒｔｓ  Ｇｒｏｕｐ）方式により、データ圧縮し、圧縮した画像データを画像メモリ１２３に保存するようにする機能を備える。画像メモリ１２３には、この例では、１台の監視カメラ当たりに、複数枚の直近の静止画を常に保存可能としている。
【００５７】
なお、カメラ信号処理部１１５は、静止画の取り込みインターバルを、例えば０秒から９９秒の範囲で、１秒単位で変更することができる。ここで、取り込みインターバルとは、監視カメラで撮影した画像をＪＰＥＧ圧縮するための処理終了後から、次の静止画の取り込みまでの時間をいう。
【００５８】
画像送信アダプタ１２から画像情報サーバ装置２５に対しては、この静止画の取り込みインターバルで取り込まれた静止画情報からなる画像データが順次に通報受信装置２側に送信されることになる。
【００５９】
制御部１２０は、通報送信装置１１からの画像取りこみ要求情報を受けて、当該画像取込要求情報中の情報によって指示された監視カメラで撮像した静止画像を、通報受信管制システム部２の画像情報サーバ装置２５に送るように制御する。このとき、送る画像情報には、画像メモリ１２３に記憶されている当該監視カメラの静止画像情報を含めることができる。つまり、センサにより異常発生を検知する前の撮像画像情報を含めることができる。また、この例では、画像情報サーバ装置２５には、画像メモリ１２３に格納されている画像情報に加えて、異常発生後に当該監視カメラで撮像した画像を送るようにする。
【００６０】
そして、画像送信アダプタ１２においては、通報送信装置１１からの画像取り込み要求情報に応じて画像送信アダプタ１２で取り込んで画像情報サーバ装置２５に送るべき静止画の枚数が、予め定められている。
【００６１】
この例においては、この画像情報サーバ装置２５に送る静止画の枚数としては、当該画像取り込み要求が到来した時点（すなわち、異常発生がセンサにより検出された時点）よりも前の静止画像枚数（０枚を含む）と、前記時点よりも後の静止画像枚数（０枚を含む）とが、それぞれ予め設定可能とされている。なお、異常発生検出前の静止画の最大枚数は、画像メモリ１２３に格納されている静止画の枚数であり、例えば１０枚程度とされる。
【００６２】
画像送信アダプタ１２では、前記画像取り込み要求が到来したときには、前記送信する静止画の枚数の設定に応じた枚数の静止画の画像情報として、前記画像メモリ１２３に記憶されている前記異常を検出したセンサに対応する監視カメラからの静止画の圧縮画像データと、新たに前記監視カメラから取り込んだ静止画の圧縮画像データとを、画像情報サーバ装置２５に送るようにする。
【００６３】
ＬＡＮインターフェース１２４は、ルータ１３に接続するためのもので、この例では、イーサネット（登録商標）用のインターフェースとされている。
【００６４】
通信インターフェース１２５は、通報送信装置１１と接続するためのもので、この例では、前述したようにＲＳ−４８５インターフェース規格が用いられる。
【００６５】
メモリ１２６には、また、画像情報を、ＩＰ網４を通じて通報受信管制システム部２の画像情報サーバ装置２５へ着信させるためのアドレス情報、つまり、ＵＲＬ（ＵＮＩＦＯＲＭ  ＲＥＳＯＵＲＣＥ  ＬＯＣＡＴＯＲ）が記憶されている。
【００６６】
制御部１２０は、画像情報サーバ装置２５に送信するデータには、送信する画像情報がどの監視カメラで撮像したものであるか示すためにカメラ番号を含め、また、画像の時間的な先行を識別するために、画像番号を各静止画像情報に付加するようにする。
【００６７】
なお、監視カメラ１５ａ〜１５ｍに、マイクロホンを付属させ、その付属のマイクロホンのからの音声情報も伝送する場合には、当該音声情報もデータ圧縮したものを伝送するようにする。
【００６８】
次に、通報受信管制システム部２の管制端末装置２４の構成例を図３に示す。すなわち、管制端末装置２４は、制御部２４０に対して、ＬＡＮ２０に接続するためのＬＡＮインターフェース２４１と、画像メモリ２４２と、ディスプレイインターフェース２４３と、キー入力インターフェース２４４とが接続されて構成される。
【００６９】
画像メモリ２４２には、画像情報サーバ装置２５から取得した画像データを格納する。ディスプレイインターフェース２４３には、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）からなるディスプレイ２４Ｄが接続される。キー入力インターフェース２４４は、キー入力操作部２４Ｋに接続される。
【００７０】
ディスプレイ２４Ｄの画面には、後述するように受信した通報データの内容が表示されると共に、受信した静止画像が表示される。キー入力操作部２４Ｋは、後述するように、管制員が、画像情報を画像情報サーバ装置２５から取得するか否かを決定するためのキー入力操作をするためのものである。管制員が、画像情報を画像情報サーバ装置２５から取得する操作をしたときには、制御部２４０は、画像サーバ装置２５に画像取得要求を送る。
【００７１】
［通報動作の説明］
次に、この実施形態の監視システムの通報動作を、図４のシーケンス図を参照しながら以下に説明する。
【００７２】
センサ１４ａ〜１４ｎのいずれかで異常が検出されたことを、通報送信装置１１の制御部１１０が検知すると（図４のステップＳ１０１のセンサオン）、当該制御部１１０は、メモリ１１４に格納されている通報受信管制システム部２の電話番号を用いて、当該通報受信管制システム部２に対してＩＳＤＮ網４を通じた発呼を行なう。
【００７３】
そして、通報送信装置１１の制御部１１０は、メモリ１１４から、異常を検出したセンサに対応する通報内容の情報を取り出し、これにステップＳ１０１のセンサオンの発生時刻の情報やその他の必要な情報を加えて、通報データを生成する。そして、前記発呼に対して通報受信管制システム部２側の応答を確認したら、制御部１１０は、通報データのパケットを、受信相手を通報受信機２１（または２２）としてＩＳＤＮ網４を通じて送信する（ステップＳ１０２）。
【００７４】
この場合に、異常を検出したセンサに対応して監視カメラが登録されているときには、メモリ１１４に記憶されている通報内容の情報には、監視カメラの画像情報が通報受信管制システム部２側に送信されることを通知する情報と、後で、管制端末装置２４が、画像情報サーバ装置２５から当該画像情報を取得するための画像情報識別用情報も含まれている。
【００７５】
画像情報識別用情報としては、前述したように、通報送信装置１１の識別情報と、画像送信アダプタ１２の識別情報とが含まれている。通報受信管制システム部２の管制端末装置２４および画像情報サーバ装置２５は、これら通報送信装置１１の識別情報と、画像送信アダプタ１２の識別情報と、前述したセンサオンの発生時刻の情報とを、取得する画像を識別するための情報として用いるようにする。
【００７６】
次に、通報送信装置１１の制御部１１０は、メモリ１１４から読み出した通報内容の情報を検査して、当該異常を検出したセンサに対応して監視カメラが登録されているか否かにより、画像取込設定がなされているかどうか判別し（ステップＳ１０３）、画像取込設定がなされていないと判別したときには、通報送信装置１１の処理は、前記通報データの送出で終了となる。
【００７７】
また、通報送信装置１１の制御部１１０は、画像取込設定がなされていると判別したときには、通信インターフェース１１５を通じて画像取り込み要求を画像送信アダプタ１２に送る（ステップＳ１０４）。この画像取り込み要求には、メモリ１１４に記憶されている異常を検出したセンサに対応した監視カメラを指定する情報が含まれる。
【００７８】
通信インターフェース１２５を通じて、この画像取り込み要求を受けた画像送信アダプタ１２は、指定された監視カメラで撮影された静止画の情報であって、前述した送信する静止画の枚数設定に応じた枚数の静止画の圧縮画像データを、ＩＰ網４を通じて通報受信管制システム部２の画像情報サーバ装置２５に送信するようにする（ステップＳ１０８）。
【００７９】
このとき、画像送信アダプタ１２は、メモリ１２６に記憶されている画像情報サーバ装置２５のＵＲＬを用いて、送信の相手方としての画像情報サーバ装置２５を指定するようにする。そして、画像送信アダプタ１２は、送信する画像情報には、通報送信装置１１の識別情報と、自己の画像送信アダプタ１２の識別情報と、センサオンの時刻情報を、関連情報として付加して画像情報サーバ装置２５に送る。
【００８０】
画像情報サーバ装置２５は、順次に送られてくる静止画の画像情報を受信して、通報送信装置１１の識別情報と画像送信アダプタ１２の識別情報とセンサオンの時刻情報とに対応させて画像情報格納部に格納するようにする。
【００８１】
この画像情報の送受に先立ち、あるいは、この画像情報の送受と並行して、通報送信装置１１からの通報データを受け取った通報受信機２１または２２は、ＬＡＮ２０を通じて通報データサーバ装置２３に、受け取った通報データを転送して、書き込むように指示する（ステップＳ１０５）。
【００８２】
通報データサーバ装置２３は、受け取った通報データを、通報データ格納部に格納すると共に、ＬＡＮ２０を通じて管制端末装置２４にさらに転送して、管制端末装置２４に通報データの着信を通知する（ステップＳ１０６）。
【００８３】
この着信の通知に伴う通報データを受け取った管制端末装置２４は、通報データを解析して、ディスプレイ２４Ｄの画面に通報情報を表示する（ステップＳ１０７）。このとき、管制端末装置２４の制御部２４０は、通報データに画像情報が送信されてくることを示す情報が含まれているかどうか判別し（ステップＳ１０９）、含まれているときには、当該情報に含まれる通報送信装置１１の識別情報、画像送信アダプタ１２の識別情報およびセンサオンの時刻情報とを、制御部２４０が内蔵するメモリに格納すると共に、画像情報が監視通報システム部１側から送られてくることを管制員に知らせる表示を、ディスプレイ２４Ｄの画面に表示するようにする。
【００８４】
画像情報が監視通報システム部１側から送られてきた場合の通報情報の表示例を図５（Ａ）に示す。すなわち、このとき、ディスプレイ２４Ｄの表示画面には、図５（Ａ）に示すように、異常発生の通知および異常発生の場所などの通報内容の表示２０１と、画像情報が監視通報システム部１側から送られてくることを管制員に知らせる表示２０２と、送られてくる画像情報を取得するか否かを管制員に選択させるためのアイコンボタンなどが表示される。
【００８５】
これに対して、通報データに画像情報が送信されてくることを示す情報が含まれていない場合には、ディスプレイ２４Ｄの画面には、図５（Ａ）のディスプレイ２４Ｄの画面における、画像情報が監視通報システム部１側から送られてくることを管制員に知らせる表示２０２や前記アイコンは表示されない。
【００８６】
そして、通報データに画像情報が送信されてくることを示す情報が含まれていない場合には、管制員は、表示された通報情報に基づいて、適切な対処処置を行ない、当該対処処置の終了を管制端末装置２４に通知入力する。管制端末装置２４は、この通知入力により、対処処置の完了を確認すると（ステップＳ１１３）、次の通報データの受信が可能な状態に戻る。
【００８７】
一方、通報データに画像情報が送信されてくることを示す情報が含まれている場合には、図５（Ａ）に示したように、画像情報が送られてくることの通知表示２０２および画像情報を取得するか否かを管制員に選択させるためのアイコンボタンが表示されるので、管制員は、キー入力操作部２４Ｋを操作して、この管制端末装置２４のディスプレイ２４Ｄの表示画面を通じて、画像情報を取得するかいなかのアイコン選択操作を行なう。
【００８８】
そして、画像情報を取得しない場合には、管制員は、アイコンボタン「ＮＯ」を選択し、画像情報が送られてこない場合と同様にして、表示された通報情報に基づいて、適切な対処処置を行ない、当該対処処置の終了を管制端末装置２４に通知入力して、管制端末装置２４を、次の通報データの受信が可能な状態に戻すようにする（ステップＳ１１０からステップＳ１１３へのジャンプに相当）。
【００８９】
これに対して、画像情報を取得する場合には、管制員は、アイコンボタン「ＹＥＳ」を選択する。すると、管制端末装置２４は、画像取得要求を画像情報サーバ装置２５に送る（ステップＳ１１１）。この画像取得要求には、通報送信装置１１の識別情報と、画像送信アダプタ１２の識別情報と、センサオンの時刻情報とが含まれる。
【００９０】
画像情報サーバ装置２５は、この画像取得要求に含まれる通報送信装置１１の識別情報と、画像送信アダプタ１２の識別情報と、センサオンの時刻情報とから、取得要求された画像情報を識別し、当該識別した画像情報を画像情報格納部から読み出して、管制端末装置２４に送る（ステップＳ１１２）。管制端末装置２４は、この画像情報を受信して画像メモリ２４２に格納し、ディスプレイ２４Ｄの画面に、通報内容の表示２０１と対応させて表示する。
【００９１】
図５（Ｂ）は、このときの管制端末装置２４のディスプレイ２４Ｄの画面における表示例である。すなわち、この例では、ディスプレイ２４Ｄの画面には、通報内容の表示２０１と対応して、通報発生要因であるセンサに関連する監視カメラからの複数枚の静止画像２０３が表示される。静止画像は、この図５（Ｂ）の例のように、複数枚を同時に表示するのではなく、１枚ずつ、表示するようにしても良いし、送られてきた静止画像のすべてを、同時に表示するようにしても良い。
【００９２】
この図５（Ｂ）の例のようなディスプレイ表示においては、管制員は、通報内容の表示のみではなく、静止画像２０３をも参照して通報についての確認ができ、誤通報か否かを的確に把握することができる。
【００９３】
その後、管制員は、適切な対処処置をして、当該対処処置の終了を管制端末装置２４に通知入力する。
【００９４】
以上のようにして、この実施形態では、通報データと画像情報とは、管制端末装置２４のディスプレイ２４Ｄにおいて、対応付けられて表示されるので、管制員は、通報データに基づく表示と、画像情報とを対応付けて緊急性について判断することが容易にでき、適切な処置をすることができると共に、誤通報であるか否かも容易に判断することができる。
【００９５】
また、通報データは、ＩＳＤＮ網を通じて通報受信機に送信され、画像情報は、ＩＰ網を通じて画像情報サーバ装置に送信されて、通報データと画像情報との伝送が分離されるので、通報受信管制システム部側は、通報データを迅速に受信することができる。
【００９６】
［他の通報動作の例］
図１の構成の実施形態の監視システムにおいては、通報送信装置１１は、通報データは、ＩＳＤＮ網３を通じてではなく、ルータ１３およびＩＰ網４を通じて、通報受信機２１または２２に送信することができる。この例が適用される場合には、通報送信装置１１のメモリ１１４には、通報受信機２１または２２のＵＲＬが記憶される。
【００９７】
そして、この例の場合には、センサからの信号から異常の発生を検知すると、通報送信装置１１は、メモリ１１４から通報受信機２１または２２のＵＲＬを読み出して、前述の例と同様の通報データを、ルータ１３を通じてＩＰ網４に送出し、通報受信機２１または２２に宛てて送信する。この例の場合には、先ず、通報データが、送出される。
【００９８】
その後、通報送信装置１１からの画像取りこみ要求に基づいて、前述の例と同様の動作を画像送信アダプタ１２が行なうことにより、画像情報を、ＩＰ網４を通じて画像情報サーバ装置２５に送信する。
【００９９】
この例は、通報データが、ＩＰ網４を通じて送信される点が異なるのみで、その他の動作は、前述の例と全く同様である。
【０１００】
この例の場合においては、使用する通信網は、ＩＰ網４のみであるが、通報データの着信先は、通報受信機であり、画像情報の着信先は、画像情報サーバ装置であるので、上述と例と同様の作用効果が得られる。
【０１０１】
［その他の変形例］
なお、図４の例では、画像取込設定があるか否かの判別は、通報データの送出動作の後に行なうようにしたが、メモリ１１４の情報を検査して、画像取込設定があるか否かの判別を先に行ない、画像取込設定がないと判別したときには、通報データの送出動作のみを行ない、画像取込設定があると判別したときには、通報データの送出動作の後に、画像送信アダプタへの画像取り込み要求を行なうようにしても良い。
【０１０２】
なお、上述の実施形態は、異常事態の発生は、センサにより検知する場合について説明したが、非常用押ボタンスイッチに基づいて通報がなされる場合にも、この発明が適用されることは言うまでもない。
【０１０３】
なお、通報受信管制システム部２では、通報受信装置を、通報受信機２１，２２と、通報データサーバ装置２３と、管制端末装置２４とに分離したが、これらは単一の装置の構成とすることもできる。
【図面の簡単な説明】
【０１０４】
【図１】この発明による監視システムの実施形態を説明するための図である。
【図２】実施形態の監視システムの監視通報システム部側の通報送信装置および画像送信アダプタの構成例を示すブロック図である。
【図３】実施形態の監視システムの通報受信管制システム部側の管制端末装置の構成例を示すブロック図である。
【図４】実施形態の監視システムにおける通報動作を説明するためのシーケンス図である。
【図５】実施形態の監視システムの通報受信管制システム部側の管制端末装置のディスプレイ表示画面の例を示す図である。
【符号の説明】
【０１０５】
１  監視通報システム部
２  通報受信管制システム部
３  ＩＳＤＮ網
４  ＩＰ網
１１  通報送信装置
１２  画像送信アダプタ（画像情報送信装置）
２１，２２  通報受信機
２３  通報データサーバ装置
２４  管制端末装置
２５  画像情報サーバ装置
１３，２６  ルータ
【図１】
2005086400.tif 000003
【図２】
2005086400.tif 000004
【図３】
2005086400.tif 000005
【図４】
2005086400.tif 000006
【図５】
2005086400.tif 000007